(57)【要約】【課題】脈動状態の有無に拘わることなく、所定の流路を通過する流体の積算流量を正確に求めることのできる積算流量計を提供する。【解決手段】所定の流路を通流する流体の瞬時流量を計測する熱式流量センサと、この熱式流量センサにより計測される瞬時流量を積算し、その積算値が所定の単位流量に達したときに単位流量信号を出力すると共に、上記積算値をリセットする流量升と、この流量積算手段から出力される上記単位流量信号を計数して前記所定の流路を通流した流体の積算流量を求める流量積算手段とを具備した積算流量計において、特に所定時間内における前記流量升での積算値が前記所定の単位流量に達っしないとき、該積算値を強制的にリセットするリセット手段を備える。【選択図】　　　図１
2004093173.tif 000002
【特許請求の範囲】
【請求項１】
所定の流路を通流する流体の瞬時流量を計測する熱式流量センサと、
この熱式流量センサにより計測される瞬時流量を積算し、その積算値が所定の単位流量に達したときに単位流量信号を出力すると共に、上記積算値をリセットする流量升と、
この流量積算手段から出力される上記単位流量信号を計数して前記所定の流路を通流した流体の積算流量を求める流量積算手段と、
所定時間内における前記流量升での積算値が前記所定の単位流量に達しないとき、該積算値を強制的にリセットするリセット手段と
を具備したことを特徴とする積算流量計。
【発明の詳細な説明】
【０００１】
【発明の属する技術分野】
本発明は、熱式流量センサを用いて計測される流体の瞬時流量を、流量升により規定される所定の単位流量毎に積算してその積算流量を求める積算流量計に関する。
【０００２】
【関連する背景技術】
熱式流量センサは、例えば図９に示すようにシリコン基台Ｂ上に設けた発熱抵抗体からなるヒータ素子Ｒｈを間にして、流体の通流方向Ｆに測温抵抗体からなる一対の温度センサＲｕ，Ｒｄを設けた素子構造を有する。この種の熱式流量センサを用いた流量計は、上記ヒータ素子Ｒｈから発せられる熱の拡散度合い（温度分布）が前記流体の通流によって変化することを利用し、前記温度センサＲｕ，Ｒｄの熱による抵抗値変化から前記流体の通流速度、ひいてはその流量Ｑを検出する如く構成される。尚、図中Ｒｒは、前記ヒータ素子Ｒｈから離れた位置に設けられた測温抵抗体からなる温度センサであって、周囲温度の計測に用いられる。
【０００３】
このような熱式流量センサを用いたガスメータ等の積算流量計は、概略的には図１０に示すように熱式流量センサ１にてリアルタイムに計測される流体（ガス）の瞬時流量ｑを流量升２を用いて積算し、その積算流量Ｑが所定の単位流量Ｑｏに達する都度、その到達回数を積算計（カウンタ）３を用いて計数するように構成される。具体的には図１１（ａ）に示すように流量升２にて積算される瞬時流量ｑの積算値（流量）Ｑが上記単位流量Ｑｏ、例えば１０Ｌに達する都度、図１１（ｂ）に示すように流量升２から単位流量信号Ｐを出力し、この信号Ｐを図１１（ｃ）に示すように積算計（カウンタ）３にて計数することで積算流量ＴＱを求めるように構成される。
【０００４】
【発明が解決しようとする課題】
ところで流路内における圧力変動等に起因して上記流路を通流する流体が行き来する、いわゆる脈動流が発生することがある。この脈動流の成分は、トータル的（平均的）には流量が零［０］であると捉えられるものである。
しかしながら上述した従来の積算計においては、流量升２を用いて積算される流体の瞬時流量ｑの積算値Ｑが所定の単位流量に達したときに発せられる単位流量信号Ｐを、積算計（カウンタ）３にて計数して積算流量ＴＱを求めているだけなので、流体が逆向きに流れてもその逆向きの流量が上記積算流量ＴＱから差し引かれることはない。この為、脈動状態における流量升２での積算値Ｑが単位流量を超えるような場合、特に脈動が大きい場合には、本来的には零［０］であるべき脈動流の成分までを不本意に積算してしまい、その計測（積算）精度が損なわれると言う問題がある。
【０００５】
本発明はこのような事情を考慮してなされたもので、その目的は、脈動状態の有無に拘わることなく、所定の流路を通過する流体の積算流量を正確に求めることのできる積算流量計を提供することにある。
【０００６】
【課題を解決するための手段】
上述した目的を達成するべく本発明に係る積算流量計は、所定の流路を通流する流体の瞬時流量を計測する熱式流量センサと、この熱式流量センサにより計測される瞬時流量を積算し、その積算値が所定の単位流量に達したときに単位流量信号を出力すると共に、上記積算値をリセットする流量升と、この流量積算手段から出力される上記単位流量信号を計数して前記所定の流路を通流した流体の積算流量を求める流量積算手段とを具備したものであって、
特に所定時間内における前記流量升での積算値が前記所定の単位流量に達っしないとき、該積算値を強制的にリセットするリセット手段を備えたことを特徴としている。
【０００７】
即ち、本発明に係る積算流量計は、前記流量升での積算値が所定時間を経過しても前記所定の単位流量に達っしないときには、脈動成分によってその積分値の増加の速度が通常の流量計測時よりも遅いと判断し、その積分値自体をリセットすることで、実際の流量が零［０］であるにも係わらず流量升での積分値が次第に増加して前記単位流量信号が出力されるような不具合を未然に防ぐことを特徴としている。
【０００８】
【発明の実施の形態】
以下、図面を参照して本発明に係る積算流量計について説明する。
本発明に係る積算流量計は、基本的には図９に示すような素子構造の熱式流量センサ１を用いてリアルタイムに計測される流体（ガス）の瞬時流量ｑを、図１１に示すように流量升２を用いて積算し、その積算流量Ｑが所定の単位流量Ｑｏに達する都度、その到達回数を積算計（カウンタ）３を用いて計数することで、その積算流量ＴＱを求めるように構成される。
【０００９】
基本的には上述した如く構成される積算流量計において、この発明が特徴とするところは、図１にその処理概念を示すように、流量センサ１を用いて計測された瞬時流量ｑを積算する流量升２において、該流量升２が所定の単位流量（升の大きさ）Ｑｏまで上記瞬時流量ｑを積算するに要する時間を管理し、予め定められた時間Ｔｏが経過してもその積算値Ｑが上記単位流量Ｑｏに達しない場合には、脈動に起因する逆方向の瞬時流量ｑによって積算値Ｑの増加が妨げられていると判断し、その積算値Ｑをリセットするようにしたことを特徴としている。
【００１０】
即ち、流量升２を作動させるに際して、先ず上述した時間を管理するタイマを零［０］に初期化すると共に、その積算値Ｑを零［０］に初期化する［ステップＳ１，Ｓ２］。この状態において流量升２を作動させて前記流量センサ１を用いて所定の周期毎にリアルタイムに計測される瞬時流量ｑを積算し、その積算値Ｑを求める［ステップＳ３］。そしてその積算値Ｑが、前述した単位流量（升の大きさ）Ｑｏに達したか否かを判定し［ステップＳ４］、積算値Ｑが単位流量Ｑｏに達している場合には、単位流量信号Ｐを発生して前記積算計３による単位流量Ｑｏの積算処理を実行させる［ステップＳ５］。
【００１１】
しかし積算値Ｑが単位流量Ｑｏに達していない場合には、タイマによって計時されている瞬時流量ｑの積算時間ｔと、予め設定されている管理時間Ｔｏとを比較する［ステップＳ６］。そして上記管理時間Ｔｏを越えるような場合には、前述したステップＳ１からの処理に戻ることでタイマをリセットすると共に［ステップＳ１］、その積算値Ｑを強制的にリセットする［ステップＳ２］。但し、瞬時流量ｑの積算時間ｔが前記管理時間Ｔｏに至っていない場合には、前述した流量センサ１を用いて計測される瞬時流量ｑの積算処理を繰り返し実行する［ステップＳ３］。
【００１２】
このような流量升２による瞬時流量ｑの積算時間の管理に基づく流量升２の強制的なリセット機能を備えた積算流量計によれば、図２にその概念を示すように逆方向に流れる脈動成分によって流量升２の積算値Ｑが減算されるので、その積算値Ｑの増加が抑えられる。これ故、一般的には図２（ｂ）に破線で示すようにその積算値Ｑが単位流量Ｑｏに達するまでには時間が掛かる。そこで流量升２において積算される瞬時流量ｑの積算値Ｑが上記単位流量Ｑｏに達するまでに要する時間を監視すれば、通常状態であるか、或いは脈動が生じているかを判定することができる。換言すれば所定の管理時間Ｔｏが経過したときの積算値Ｑを判定することで、脈動成分を積算している状態であるか否かを判定することができる。そして脈動成分を積算している場合には、上述した如く管理時間Ｔｏが経過した時点で流量升２をリセットすれば、図２（ｂ）に実線で示すように脈動成分の積算値Ｑを取り除くことが可能となり、これによって脈動成分に影響されることのない積算流量の計測が可能となる。
【００１３】
次に本発明の一実施形態に係る積算流量計について説明する。
この積算流量計は、例えば工業用ガスメータとして用いるに好適なものであって、図３に示すように計測レンジを異にする２種類の熱式流量センサとして、低流量域計測用の低速流量センサ１ａと高流量域計測用の高速流量センサ１ｂとを用いて構成される。
【００１４】
ちなみに低速流量センサ１ａおよび高速流量センサ１ｂは、例えばヒータ素子Ｒｈの発熱による熱拡散の度合いが流体の流量（流速）の違いによって異なることを利用し、ヒータ素子Ｒｈと温度センサＲｕ，Ｒｄとの離間距離を異ならせることでその流量計測域を異ならせたものからなる。具体的には前記低速流量センサ１ａはヒータ素子Ｒｈと温度センサＲｕ，Ｒｄとの離間距離Ｌ１を長く設定して実現され、また前記高速流量センサ１ｂはヒータ素子Ｒｈと温度センサＲｕ，Ｒｄとの離間距離Ｌ２を短く設定して実現される。これ故、高速流量センサ１ｂの方が低速流量センサ１ａに比較してヒータ素子Ｒｈと温度センサＲｕ，Ｒｄとの熱結合の度合いが強い。従って両流量センサ１ａ，１ｂにおいて同じ検出感度を実現する場合におけるヒータ素子Ｒｈの発熱温度、ひいてはその駆動電力は、高速流量センサ１ｂの方が低く抑えられている。
【００１５】
この実施形態に係る積算流量計は、上述した２種類の低速流量センサ１ａと高速流量センサ１ｂとを同じ流体通流路（ガス配管）にそれぞれ設けてなり、これらの流量センサ１ａ，１ｂを択一的に駆動するように構成される。そしてこの積算流量計の本体部をなすＣＰＵ（演算処理装置）１０は、各流量センサ１ａ，１ｂのヒータ駆動回路１１ａ，１１ｂをスイッチ１２を介して選択的に駆動するセンサ選択手段１３を備える。更にＣＰＵ１０は上記センサ選択手段１３による前記各流量センサ１ａ，１ｂの択一的な駆動に連動して、各流量センサ１ａ，１ｂの検出回路（図示せず）を介してそれぞれ検出されるセンサ出力Ｖｏｕｔ１，Ｖｏｕｔ２を選択的に取り込むスイッチ（セレクタ）１４を備える。そしてこのスイッチ（セレクタ）１４を介して取り込んだセンサ出力Ｖｏｕｔ１，Ｖｏｕｔ２から、流量算出手段１５にて該センサ出力Ｖｏｕｔ１，Ｖｏｕｔ２に相当する流量（瞬時流量）ｑを算出するように構成される。
【００１６】
尚、流量算出手段１５は、前記センサ選択手段１３により選択された流量センサ１ａ，１ｂの情報を入力し、選択された流量センサ１ａ，１ｂに応じて前記スイッチ（セレクタ）１４を介して選択的に取り込んだセンサ出力Ｖｏｕｔ１，Ｖｏｕｔ２に相当する瞬時流量ｑを算出する。この瞬時流量ｑの算出は、前記各流量センサ１ａ，１ｂにそれぞれ対応して設けられた、例えば図２に示すような流量ｑとセンサ出力Ｖｏｕｔとの関係を示す流量変換テーブル（図示せず）を参照する等して実行される。
【００１７】
ちなみに低速用流量センサ１ａは、図４においてその検出特性を実線で示すように、低流量域において十分に高い検出精度を確保するべく、その計測レンジが狭く設定されている。また高速用流量センサ１ｂは、図４においてその検出特性を破線で示すように、低流量域から高流量域に亘って正確な流量計測を実現するべく、その計測レンジが広く設定されている。
【００１８】
ところで前記流量算出手段１５にて求められた瞬時流量ｑは、前述したセンサ選択手段１３と共に、脈動判定手段１６に与えられている。この脈動判定手段１６は、瞬時流量ｑの変化の状態から前記流量センサ１ａ，１ｂが設けられた部位に脈動が発生しているか否かを判定する役割を担っている。具体的には上記脈動判定手段１６は、前述した瞬時流量ｑが、例えば１秒として設定された周期毎に計測される場合、図５にその概略的な処理手順を示すように最新の２０サンプルのデータを抽出し、そのデータ内容（瞬時流量ｑ）を調べることで、脈動の有無を判定している。そして脈動がない通常状態時においては、前記センサ選択手段１３を介して低速用流量センサ１ａを用いて流量計測を実行し、脈動が検出された場合には上記低速用流量センサ１ａに代えて前記高速用センサ１ｂを流量計測を実行するものとなっている。
【００１９】
この脈動判定手段１６の脈動判定処理について、図５を参照して説明すると、低速用流量センサ１ａを用いた通常の流量計測時には、脈動判定手段１６は最新の２０サンプルデータ中に、例えば相対値で「−１００」以下である瞬時流量ｑが２回以上含まれているか否かを判定している［ステップＳ１１］。但し、ここでは流量センサ１ａ，１ｂにより計測される瞬時流量ｑは、相対値で最大［±５０００］であるとしている。そしてこの判定条件が満たされない場合には、脈動が生じていないと判断して上述した低速用流量センサ１ａを用いた通常の流量計測を継続して実行する。
【００２０】
これに対して上記条件が満たされた場合には、脈動が発生していると判断し、前述したように低速用流量センサ１ａに代えて高速用流量センサ１ｂを用いて流量計測を実行する。そしてこのときには、最新の２０サンプルデータ中に、例えば相対値で「−１００」以下である瞬時流量ｑが２回未満であるか否かを調べることで脈動が消滅したか否かを判定する［ステップＳ１２］。しかしこの脈動消滅条件が満たされない場合には、更に最新の２０サンプルデータ中に、例えば相対値で「２０００」以上である瞬時流量ｑが５回以上あるか否かを調べることで脈動が消滅したか否かを判定する［ステップＳ１３］。そしてこの脈動消滅条件も満たされない場合には、更に最新の１０サンプルデータだけに着目し、これらの１０サンプルデータ中に、例えば相対値で「１０００」以上である瞬時流量ｑが５回以上あるか否かを調べることで脈動が消滅したか否かを判定する［ステップＳ１４］。
【００２１】
これらの脈動消滅条件の全てが満たされない場合には、脈動状態が継続していると判定して、高速用流量センサ１ｂを用いた流量計測を継続して実行する。しかし上記各脈動消滅条件のいずれが満たされた場合には、脈動判定手段１６は脈動状態が消滅したとして前述した高速用流量センサ１ｂの使用を止め、低速用流量センサ１ａを用いた流量計測に復帰させる。
【００２２】
さて前記ＣＰＵ１０は、上述した流量センサ１ａ，１ｂの選択的な切り替えと平行して流量升選択手段１７を駆動している。即ち、この積算流量計においては前記流量算出手段１５を介して求められる瞬時流量ｑを、所定の単位流量Ｑｏ毎に積算する流量升２として、単位流量（升の大きさ）Ｑｏを１０Ｌとして設定した標準的な第１の流量升２ａと、上記単位流量（升の大きさ）Ｑｏを４０Ｌとして設定した容量の大きい第２の流量升２ｂとを備えている。そして前述した脈動の検出結果に応じてスイッチ１８を切り換えることで、通常動作時には第１の流量升２ａを用いて瞬時流量ｑの積算を行い、また脈動時には第２の流量升２ｂを用いて瞬時流量ｑの積算を行うものとなっている。同時にＣＰＵ１０は、これらの流量升２ａ，２ｂを選択的に用いた瞬時流量ｑの積算には、タイマ管理手段１９を用いて各流量升２ａ，２ｂによる瞬時流量ｑの積算時間を管理している。
【００２３】
尚、脈動を検出して容量が１０Ｌの第１の流量升２ａから容量が４０Ｌの第２の容量升２ｂに切り換える場合には、その切り換え時に第１の流量升２ａにてより積算されている積算値Ｑを、そのまま第２の流量升２ｂに移し替えて、その後の瞬時流量ｑの積算を継続して実行する。そして第２の流量升２ｂでの瞬時流量ｑの積算時には、規定時間内にその積算値Ｑが単位流量Ｑｏに達するか否かを判定し、規定時間内に単位流量Ｑｏに達しない場合には、その積算値Ｑを強制的にリセットする。
【００２４】
その後、脈動が停止した場合には、第２の流量升２ｂにて積算されている積算値Ｑが上述した規定時間内に単位流量Ｑｏに達するか否かを判定し、達していない場合には、この第２の流量升２ｂでの積算値Ｑを強制的にリセットする。そしてその後の計測を第１の流量升２ａを用いて実行する。しかし第２の流量升２ｂにて積算された積算値Ｑが上述した規定時間内に単位流量Ｑｏに達した場合には、第２の流量升２ｂから単位流量信号Ｐを出力し、該第２の流量升２ｂをリセットした後、その後の計測を第１の流量升２ａを用いて実行する。このようにして流量升２ａ，２ｂの切り換え制御を行えば、流量升２ａ，２ｂにて積算されている積算値Ｑを無駄にすることなく、その積算処理を継続的に実行することが可能となる。
【００２５】
即ち、上述した如く構成された積算流量計においては、図６にその全体的な制御の手順を示すように脈動判定処理による脈動の有無に応じて［ステップＳ２１，Ｓ２２］、通常時には低速用センサ１ａを駆動すると共に、単位流量Ｑｏが１０Ｌの第１の流量升２ａを用いて瞬時流量ｑに積算を行う［ステップＳ２３，Ｓ２４］。また脈動検出時には高速用センサ１ｂを駆動すると共に、単位流量Ｑｏが４０Ｌの第２の流量升２ｂを用いて瞬時流量ｑに積算を行う［ステップＳ２５，Ｓ２６］。そしてこのような各計測動作条件の下で、流量升２ａ，２ｂにて積算される瞬時流量ｑの積算値Ｑが、その単位流量（升の大きさ）Ｑｏに達するまでの時間を管理し、所定時間内に積算値Ｑが単位流量（升の大きさ）Ｑｏに達しない場合には、上記積算値Ｑ自体をリセットするものとなっている［ステップＳ２７，Ｓ２８］。
【００２６】
ここで脈流検出時における前述した低速用流量センサ１ａと高速用流量センサ１ｂとの切り換えについて簡単に説明すると、脈動検出時には計測レンジが広い高速用流量センサ１ｂを用いている。すると図７（ａ）（ｂ）にその概念を示すように、正方向の瞬時流量ｑのみならず、逆方向の瞬時流量ｑも正確に計測することができ、これらの方向の異なる瞬時流量ｑを流量升２において正確に積算することが可能となる。
【００２７】
即ち、低速用流量センサ１ａを用いた場合、逆方向に流れる脈流成分の瞬時流量ｑがその計測レンジを外れることがある。この場合、低速用流量センサ１ａから求められる瞬時流量ｑは、その計測レンジにより制限されるので、実際の瞬時流量よりも小さくなることが否めない。すると流量升２における瞬時流量ｑの積算過程において正方向の脈動成分が逆方向の脈動成分により完全に相殺されることがない。この結果、流量升２の積算値Ｑは、図７（ｂ）において破線で示すように次第に増大する。そしてその積算値Ｑが、単位流量（升の大きさ）Ｑｏを越える虞が生じる。
【００２８】
これに対して高速用流量センサ１ｂを用いれば、その計測レンジが広いので、逆方向に流れる脈流成分の瞬時流量ｑがその計測レンジを外れる虞がない。従って正方向および逆方向の瞬時流量ｑをそれぞれ正確に検出して流量升２に与えることができる。すると流量升２においては図７（ｂ）に実線で示すようにプラスの瞬時流量ｑだけでなくマイナスの瞬時流量ｑも積算するので、正方向の脈動成分と逆方向の脈動成分を相殺し、総合的には平均化した流量成分だけを積算することになる。これ故、流量升２は、脈動の影響を受けることなく瞬時流量ｑを積算し、その積算流量Ｑが升の大きさである単位流量Ｑｏに達した時点でのみ単位流量信号Ｐを出力することになるので、積算計３においてもその積算流量ＴＱを正確に計測することが可能となる。
【００２９】
また脈流検出時における前述した第１の流量升２ａと第２の流量升２ｂとの切り換えについて簡単に説明すると、脈動検出時には容量の大きい４０Ｌの流量升２ｂが用いられる。すると図８にその概念を示すように、その脈動成分の積算値Ｑが１０Ｌを越えるような場合であっても、単位流量Ｑｏが４０Ｌとして設定されているので単位流量信号Ｐが出力されることがない。また第２の流量升２ｂにおいては、マイナスの瞬時流量ｑも積算するので、図８（ｂ）に示すように正方向の脈動成分と逆方向の脈動成分を相殺し、総合的には平均化した流量成分だけを積算することになる。これ故、積算計３においては、脈動の影響を受けることなく、その積算流量ＴＱを正確に計測することが可能となる。
【００３０】
尚、積算計３においては、第１の流量升２ａを用いて瞬時流量ｑを積算しているか、或いは第２の流量升２ｂを用いて瞬時流量ｑを積算しているかに応じて、その積算量を変更することは言うまでもない。即ち、通常時には、第１の流量升２ａから出力される単位流量信号Ｐに従って、その積算流量ＴＱを１０Ｌずつ増加させ、また脈動検出によって第２の流量升２ｂを用いている場合には、該第２の流量升２ｂから出力される単位流量信号Ｐに従って、その積算流量ＴＱを４０Ｌずつ増加させるように作動する。この結果、いずれの流量升２ａ，２ｂを用いた場合であっても、積算流量ＴＱを正確に求めることが可能となる。
【００３１】
かくして前述した流量升２（２ａ，２ｂ）での瞬時流量ｑの積算時間管理と共に、流量センサ１ａ，１ｂの切り換え制御、および流量升２ａ，２ｂの切り換え制御をそれぞれ実行する上述した積算流量計によれば、脈動の影響を受けることのない流量計測を実現することができる。流量升２（２ａ，２ｂ）を用いて正確に計測される瞬時流量ｑの積算値Ｑ（＝Ｑｏ）を積算計３にて累積して行くことになるので、その積算流量ＴＱを非常に精度の高いものとすることが可能となる。
【００３２】
尚、本発明は上述した実施形態に限定されるものではない。例えば流量升２ａ，２ｂによる瞬時流量ｑの積算に要する時間管理については、流量センサ１により検出可能な最小感度の瞬時流量ｑを連続的に積算した際、その積算値Ｑが単位流量Ｑｏに達するまでの時間を基準として定めれば良い。その他、本発明はその要旨を逸脱しない範囲で種々変形して実施することができる。
【００３３】
【発明の効果】
以上説明したように本発明によれば、脈流の影響を受けることなく、所定の流路を通過する流体の積算流量を正確に求めることのできるので、課金対象となるガス使用量を計測するようなガスメータに適用して多大なる効果を奏することができる。
【図面の簡単な説明】
【図１】本発明に係る積算流量計の概略的な処理概念を示す図。
【図２】本発明に係る積算流量計における脈流成分の影響除去作用を説明する為の図。
【図３】本発明の一実施形態に係る積算流量計の概略構成図。
【図４】図３に示される積算流量計で用いられる低速用流量センサと高速用流量センサの計測特性を示す図。
【図５】実施形態に係る積算流量計における脈流判定処理の概略的な流れを示す図。
【図６】実施形態に係る積算流量計における全体的な制御処理手順を示す図。
【図７】流量センサの計測レンジの変更に伴う脈流成分の影響除去作用を説明する為の図。
【図８】流量升の単位流量（升の大きさ）の変更に伴う脈流成分の影響除去作用を説明する為の図。
【図９】熱式流量センサの概略的な構成を示す斜視図。
【図１０】従来一般的な流量升を用いた積算流量計の構成図。
【図１１】流量升を用いた積算流量計の概略的な処理動作を示す図。
【符号の説明】
１　流量センサ
１ａ　低速用流量センサ（計測レンジ；小）
１ｂ　高速用流量センサ（計測レンジ；大）
２　流量升
２ａ　第１の流量升（単位流量；小；１０Ｌ）
２ｂ　第２の流量升（単位流量；大；４０Ｌ）
３　積算計
１３　センサ選択手段
１６　脈動判定手段
１７　流量升選択手段
１９　タイマ管理手段
【図１】
2004093173.tif 000003
【図２】
2004093173.tif 000004
【図３】
2004093173.tif 000005
【図４】
2004093173.tif 000006
【図５】
2004093173.tif 000007
【図６】
2004093173.tif 000008
【図７】
2004093173.tif 000009
【図８】
2004093173.tif 000010
【図９】
2004093173.tif 000011
【図１０】
2004093173.tif 000012
【図１１】
2004093173.tif 000013